(57)【要約】【課題】電池交換が不要で、簡便に手動充電でき、さらに現有のハンド工具の操作に影響を与えない等の長所を兼ね備えることができる手動式発光ハンド工具を提供する。【解決手段】ハンド工具グリップ上に収納空間を設置し、このハンド工具グリップのフロントエンドは工具部及び発光部を設置するのに用いることができ、この収納空間は分離可能な手動部及び発電部を設置することができ、この手動部は平時において収納空間から取りはずすか、またはハンド工具グリップのホロー部内に収納することができ、回転発電が必要な場合に、この手動部がジョイントヘッドにより発電部のギアトレーン及び発電コンポーネントを連動し、発電コンポーネントを発電させ、蓄電コンポーネントに蓄える。この蓄電コンポーネント内にあらかじめ定められた電量が蓄電されると発光部が光線を発するようになる。【選択図】図２
0003131233.tif 000002
【実用新案登録請求の範囲】
【請求項１】
収納空間と、フロントエンドと、リアエンドと、外表面と貫通孔とを有するとともに、少なくとも手のひらで握ることができるシェルを有するハンド工具グリップと、
当該シェルのフロントエンドに設置して用いる工具部と、
少なくともジョイントヘッドと、エクステンション部と回転部とを有する分離可能な手動部と、
少なくとも連動ソケットと、ギアトレーンと、発電コンポーネントと蓄電コンポーネントとを有するとともに、当該連動ソケットが当該貫通孔中に設置され、かつ当該手動部のジョイントヘッドとかみ合わせることができ、当該手動部が回転させられた場合、当該ギアトレーンを回転させ、さらに当該発電コンポーネントを発電させて当該蓄電コンポーネント中まで送電する発電部と、
当該蓄電コンポーネントに連結され、当該蓄電コンポーネント内にあらかじめ定められた電量が蓄電されると光線を発することができる発光部と、を含む手動式発光ハンド工具。
【請求項２】
当該手動部のジョイントヘッド及びエクステンション部の間が折り返し可能な構造になっている、請求項1に記載された手動式発光ハンド工具。
【請求項３】
当該手動部のジョイントヘッド及びエクステンション部の間に１個のピンジョイント部が設置され、かつ当該エクステンション部が前部及び後部に分かれ、その間にもう1個のピンジョイント部が設置されている、請求項1に記載された手動式発光ハンド工具。
【請求項４】
当該シェルが1個のホロー部を有しており、それを用いて当該手動部のジョイントヘッド及びエクステンション部を収納し、当該手動部のジョイントヘッド及びエクステンション部が手動部外表面を有し、当該手動部外表面と当該ハンド工具グリップの外表面の表面ラジアンのつり合いがとれている、請求項1に記載された手動式発光ハンド工具。
【請求項５】
当該ホロー部が前ホロー部及び後ホロー部を含み、当該前ホロー部が当該ハンド工具グリップの外表面に沿ってへこんでおり、当該後ホロー部が当該ハンド工具グリップのリアエンドに沿ってへこんでいる、請求項4に記載された手動式発光ハンド工具。
【考案の詳細な説明】
【技術分野】
【０００１】
本考案は手動式発光ハンド工具に係り、特に電池交換が不要で、簡単に手動充電することができ、さらに現有のハンド工具の操作に影響を与えない等の効果を兼ね備えている手動式発光ハンド工具に関する。
【背景技術】
【０００２】
第一図を参照していただきたい。従来の発光可能ハンド工具は、基本的に、グリップ部(80)及び応用工具部(90)（例えばマイナスまたはプラスドライバー）を含み、当該グリップ部(80)にはコントロール部(81)（スイッチ及びサーキットボードを含む）、複数個の電球(82)及び少なくとも1個の電池(83)を設置し、これによって使用者が照明が必要な場合に、当該コントロール部(81)を開くことができ（当該スイッチをオンにすると言ってもよい）、複数個の電球(82)を発光させ、照明補助の目的を達成する。
【考案の開示】
【考案が解決しようとする課題】
【０００３】
しかし、従来の発光可能ハンド工具は発光できるとは言え、電池に電気がなければ発光することができず、また、使用者が予備電池を携帯しておらず、かつ山地、野外、建築中の高層ビルまたは辺鄙な工事現場においてこのハンド工具を使用する場合には、電池が切れていた場合、たとえ新しい電池を買って交換しようとしても、付近にそれを買える商店もなく、照明を使用することができない。
【０００４】
また、慣用のハンド工具のグリップ部の大きさは一般に手のひらで握ることができることを原則としているので、大きくすることが出来ず、したがって、電池容量も限られていた。このため、連続して一定時間照明した後、電池切れが起こる可能性があり、照明が差し迫って必要になっても電球が発光できないといった重大な問題が生じる。
このため、新技術を研究開発して上述の欠点を解決する必要があった。
【０００５】
本考案の主な目的は、電池交換が不要な手動式発光ハンド工具を提供することである。
本考案の次の目的は、簡便に手動充電することができる手動式発光ハンド工具を提供することである。
本考案のもうひとつの目的は、現有のハンド工具の操作に影響を与えない手動式発光ハンド工具を提供することである。
【課題を解決するための手段】
【０００６】
本考案に係る請求項１は、1個の収納空間と、１個のフロントエンドと、1個のリアエンドと、1個の外表面と1個の貫通孔とを有するとともに、少なくとも1個の手のひらで握ることができるシェルを有するハンド工具グリップと、当該シェルのフロントエンドに設置して用いる工具部と、少なくとも1個のジョイントヘッド、1個のエクステンション部及び1個の回転部を有する分離可能な手動部と、少なくとも1個の連動ソケット、1個のギアトレーン、1個の発電コンポーネント及び1個の蓄電コンポーネントを有する発電部であって、当該連動ソケットが当該貫通孔中に設置され、かつ当該手動部のジョイントヘッドとかみ合わせることができ、当該手動部が回転させられた場合、当該ギアトレーンを回転させ、さらに当該発電コンポーネントを発電させて当該蓄電コンポーネント中まで送電する発電部と、当該蓄電コンポーネントに連結され、当該蓄電コンポーネント内にあらかじめ定められた電量が蓄電されると光線を発することができる発光部と、を含む手動式発光ハンド工具である。
【０００７】
本考案に係る請求項２は、請求項1に記載された手動式発光ハンド工具において、当該手動部のジョイントヘッド及びエクステンション部の間が折り返し可能な構造になっている手動式発光ハンド工具である。
【０００８】
本考案に係る請求項３は、請求項1に記載された手動式発光ハンド工具において、当該手動部のジョイントヘッド及びエクステンション部の間に1個のピンジョイント部が設置され、かつ当該エクステンション部が前部及び後部に分かれ、その間にもう1個のピンジョイント部が設置されている手動式発光ハンド工具である。
【０００９】
本考案に係る請求項４は、請求項1に記載された手動式発光ハンド工具において、当該シェルが1個のホロー部を有しており、それを用いて当該手動部のジョイントヘッド及びエクステンション部を収納し、当該手動部のジョイントヘッド及びエクステンション部が手動部外表面を有し、当該手動部外表面と当該ハンド工具グリップの外表面の表面ラジアンのつり合いがとれている手動式発光ハンド工具である。
【００１０】
本考案に係る請求項５は、請求項4に記載された手動式発光ハンド工具において、当該ホロー部が前ホロー部及び後ホロー部を含み、当該前ホロー部が当該ハンド工具グリップの外表面に沿ってへこんでおり、当該後ホロー部が当該ハンド工具グリップのリアエンドに沿ってへこんでいる、手動式発光ハンド工具である。
【考案の効果】
【００１１】
本考案の長所及び効果は以下のようにまとめることができる。
[1]電池交換が不要である。本考案は内部に発電装置を設置しているので、電池を全く必要とせず、さらに携帯する予備電池の電量が限られている等の問題も回避できる。
[2]簡便に手動充電することができる。本考案の分離可能な手動部を利用すると、手動部を取り出すかまたは当該ホロー部中に取り付け、ハンド工具の操作を行うことができる。蓄電コンポーネントに電力補充が必要な場合は、この手動部を取り付けるかまたは手動部をややはね上げて、その後手動部を数回（またはさらに多い回数）回転させれば、電力を発生させることができ、当該発光部が光線を発することができるようになり、手動充電が極めて便利である。
[3]現有のハンド工具の操作に影響を与えない。本考案の分離可能な手動部は、手動部を取り出すかまたはそのホロー部中に取り付けることができ、現有のハンド工具操作に全く影響を与えない。
【考案を実施するための最良の形態】
【００１２】
第二図及び第三図を参照していただきたい。これは本考案の『手動式発光ハンド工具』の第一の実施例であり、それには少なくとも、1個のハンド工具グリップ(10)、1個の工具部(20)、1個の分離可能な手動部(30)、1個の発電部(40)及び1個の発光部(50)が含まれている。
【００１３】
当該ハンド工具グリップ(10)に関しては、少なくとも1個の手のひらで握ることができるシェル(11)を有し、当該シェルが1個の収納空間(111)、1個のフロントエンド(112)、1個のリアエンド(113)、1個の外表面(114)及び1個の貫通孔(115)を有する。当該工具部(20)は当該シェル(11)のフロントエンド(112)に設置して用いる。
【００１４】
当該分離可能な手動部(30)は少なくとも1個のジョイントヘッド(31)、1個のエクステンション部(32)及び1個の回転部(33)（手指ではさんで操作するのに用いることができる）を有する。
【００１５】
当該発電部(40)は少なくとも1個の連動ソケット(41)、1個のギアトレーン(42)、１個の発電コンポーネント(43)及び1個の蓄電コンポーネント(44)を有し、当該連動ソケット(41)は当該貫通孔(115)中に設置され、かつ当該手動部(30)のジョイントヘッド(31)とかみ合わせることができる。当該手動部(30)が回転すると、当該ギアトレーン(42)が回転し、かつ当該発電コンポーネント(43)が発電し当該蓄電コンポーネント(44)中まで送電する。
【００１６】
当該発光部(50)は、当該蓄電コンポーネント(44)に連結され、当該蓄電コンポーネント(44)内にあらかじめ定められた電量が蓄えられると光線を発することができる。
【００１７】
上記が本考案の手動式発光ハンド工具である。当然、美観性を向上させたい場合は、本考案の第二の実施例のように改造することができる。第四、第五及び第六図が示すように、当該シェル(11)はホロー部(116)を増設することができ、当該ホロー部(116)は当該手動部(30)のジョイントヘッド(31)及びエクステンション部(32)を収納することができる（傾斜したホロー部(16)を設計し、このようにして回転部(33)もいっしょに収納し、シェル(11)全体を流線型にし、突出部をなくすることもできる）。
【００１８】
また、当該ホロー部(116)は前ホロー部(116A)及び後ホロー部(116B)を含む設計にすることができる。当該前ホロー部(116A)は当該ハンド工具グリップ部(10)の外表面(114)に沿ってへこんでいるが、当該後ホロー部(116B)は当該リアエンド(113)に沿ってへこんでおり、この設計によって回転部(33)を最外端（リアエンド(113)に接近して、と言うこともできる）に置き、使用者の操作に影響を与えない。
【００１９】
また、当該手動部(30)のジョイントヘッド(31)及びエクステンション部(32)は手動部外表面(30A)（第五図参照）を含み、それが当該ハンド工具グリップ(10)の外表面(114)となだらかに連結し、ゆえに使用者が手で握った場合、でこぼこした不快感がない。
【００２０】
また、当然ながら、当該ジョイントヘッド(31)及び当該エクステンション部(32)の間は折り畳み可能な構造であるか、または2個のピンジョイント部(34)及び(35)を設置している。
後者の場合は、当該手動部(30)のジョイントヘッド(31)及びエクステンション部(32)の間に1個のピンジョイント部(34)が設置され、かつ当該エクステンション部(32)が前部(32A)及び後部(32B)に分かれ（第四図参照）、その間にもう1個のピンジョイント部(35)が設置される。これによって当該エクステンション部(32)があらかじめ定められた角度に傾斜することができ（第四図参照）、かつこの回転部(33)もはね上げられて容易に操作でき、これにより使用者が当該手動部(30)を回転する際の便宜を図る。
【００２１】
また、第五図を参照いただきたい。そのうち当該手動部外表面(30A)は1つのあらかじめ定められたラジアンを有し、当該ハンド工具グリップ(10)の外表面(114)の表面ラジアンに適合する。このためハンド工具グリップ(10)全体の外表面(114)を流線型でなだらかにすることができ、でこぼこした不快感がないだけでなく、さらに握りやすくかつ外観が美しくなる。
【００２２】
本考案の使用方法に関しては、第六及び第七図を参照いただきたい。使用者が照明を必要とする場合、まず当該手動部(30)を取り付け（不要なときは取りはずすことができる）、それによって当該ジョイントヘッド(31)と当該連動ソケット(41)をかみ合わせ（第四図参照）、その後、当該エクステンション部(32)をやや傾斜させ（傾斜状態は第四図の仮想線で示されている。これにより操作が便利になる）、その後当該手動部(30)を回転させると、当該発電部(40)の発電コンポーネント(43)が連動して発電できるようにし、また、当該蓄電コンポーネント(44)にあらかじめ定められた電力を蓄電し、さらに当該発光部(50)を発光させ、照明効果を達成する。
【００２３】
当然のことながら、1個のスイッチ(51)（第五図参照、ON/OFF切り替え機能を有する）を増設して、当該発光部(50)のON/OFFまたは発光状態をコントロールすることができる。
なお、以上は比較的優れた実施例によって本考案を詳細に説明したのみであり、当該実施例に対してなしたいかなる簡単な改造及び変化も、すべて本考案の精神及び範囲から離脱するものではない。
【図面の簡単な説明】
【００２４】
【図１】従来の発光可能ハンド工具の概略図である。
【図２】本考案の第一の実施例の立体図である。
【図３】本考案の第一の実施例の内部構造概略図である。
【図４】本考案の第二の実施例の手動部が分離された状態の概略図である。
【図５】本考案の第二の実施例の局部断面概略図である。
【図６】本考案の第二の実施例の手動部回転時の概略図である。
【図７】本考案の実際使用時の概略図である。
【符号の説明】
【００２５】
(10) ハンド工具グリップ                (11) シェル
(111)収納空間                          (112)フロントエンド
(113)リアエンド                        (114)外表面
(115)貫通孔                            (116)ホロー部
(116A)前ホロー部                      (116B)後ホロー部
(20) 工具部                            (30)手動部
(30A)手動部外表面                    
(31)ジョイントヘッド
(32) エクステンション部                (32A)前部
(32B)後部                            
(33)回転部
(34、35)ピンジョイント部              (40)発電部
(41) 連動ソケット                      (42)ギアトレーン
(43) 発電コンポーネント                (44)蓄電コンポーネント
(50) 発光部                            (51)スイッチ
(80) グリップ部                        (81) コントロール部
(82) 電球                              (83) 電池
(90) 応用工具部
【図１】
0003131233.tif 000003
【図２】
0003131233.tif 000004
【図３】
0003131233.tif 000005
【図４】
0003131233.tif 000006
【図５】
0003131233.tif 000007
【図６】
0003131233.tif 000008
【図７】
0003131233.tif 000009